(57)【要約】【課題】電子ペーパー表示システムに好適であり、書き換えが可能であり、更に、反射率及びコントラストに優れる表示装置、及び該表示装置を用いた表示方法を提供すること。【解決手段】表示単位セル内に、色相を呈示する表示領域と、該色相を隠蔽する隠蔽領域と、前記表示領域の水平投影面積を前記隠蔽領域の増減により相対的に変化させる水平投影面積調整手段と、を備えることを特徴とする表示装置、及び該表示装置を用いた表示方法。【選択図】図１
2007034282.tif 000002
【特許請求の範囲】
【請求項１】
表示単位セル内に、色相を呈示する表示領域と、該色相を隠蔽する隠蔽領域と、前記表示領域の水平投影面積を前記隠蔽領域の増減により相対的に変化させる水平投影面積調整手段と、を備えることを特徴とする表示装置。
【請求項２】
前記表示領域の水平投影面積を実質的に０％から１００％まで相対的に変化させることを特徴とする請求項１に記載の表示装置。
【請求項３】
前記表示領域の水平投影面積を無段階に変化させることを特徴とする請求項１に記載の表示装置。
【請求項４】
前記表示領域は着色液体により前記色相が呈示され、該着色液体の液体量に応じた液体界面の面積が前記表示領域の水平投影面積となることを特徴とする請求項１に記載の表示装置。
【請求項５】
前記着色液体の液体量が、被電気浸透性固体媒体を介した電気浸透現象により調整されることを特徴とする請求項４に記載の表示装置。
【請求項６】
表示単位セル内に、着色液体と、該着色液体を可視状態で保持しうる第１の空間と、該第１の空間と連通すると共に、反射板で隠蔽され、前記着色液体を不可視状態で保持しうる第２の空間と、前記第１の空間に保持された前記着色液体の界面面積を、前記第２の空間に保持された前記着色液体の液体量の増減により相対的に変化させる界面面積調整手段と、を備える表示素子であって、
前記界面面積調整手段は、前記第２の空間内に設けられた、一対の電極と、前記着色液体が電気浸透しうる被電気浸透性固体媒体と、からなり、該一対の電極に印加された電圧により、該被電気浸透性固体媒体を介して前記着色液体を前記第１の空間と前記第２の空間との間で移動させるものであることを特徴とする表示装置。
【請求項７】
表示単位セル内に、着色液体と、該着色液体を可視状態で保持しうる第１の空間と、該第１の空間と連通すると共に、前記着色液体を不可視状態で保持しうる第２の空間と、該第２の空間を含み、反射板で隠蔽された第３の空間と、前記第１の空間に保持された前記着色液体の界面面積を、前記第２の空間に保持された前記着色液体の液体量の増減により相対的に変化させる界面面積調整手段とを備える表示素子であって、
前記界面面積調整手段は、前記第３の空間内に設けられた、対向して配置された第１の電極基板及び第２の電極基板と、該第１の電極基板と該第２の電極基板との間に設けられ、変形可能な第３の電極基板と、からなり、該第１の電極基板と該第３の電極基板との間に前記第２の空間が設けられている構成を有し、前記第１の電極基板及び前記第２の電極基板に印加された電圧により、前記第３の電極基板が変形することに伴い、前記着色液体を前記第１の空間と前記第２の空間との間で移動させるものであることを特徴とする表示装置。
【請求項８】
表示単位セル内に、着色物体と、該着色物体を可視状態で保持しうる第１の空間と、該第１の空間と連通すると共に、ゴム状板で隠蔽され、前記着色液体を不可視状態で保持しうる第２の空間と、前記第１の空間に保持された前記着色物体の水平投影面積を、前記第２の空間に保持された前記着色物体の存在量の変化により相対的に変化させる水平投影面積調整手段とを備える表示素子であって、
前記水平投影面積調整手段は、前記着色物体に接続する可動基板と、該可動基板を可動させる駆動手段と、からなり、該駆動手段により、前記可動基板の可動に伴い、前記着色物体を前記第１の空間と前記第２の空間との間で移動させるものであることを特徴とする表示装置。
【請求項９】
前記ゴム状板が反射性の材料を含むことを特徴とする請求項８に記載の表示装置。
【請求項１０】
前記被電気浸透性固体媒体が前記第２の空間内の前記第１の空間と連通している部位に接触配置されていることを特徴とする請求項６に記載の表示装置。
【請求項１１】
電圧付与手段を更に備えることを特徴とする請求項６又は請求項７に記載の表示装置。
【請求項１２】
表示単位セル内に、色相を呈示する表示領域と、該色相を隠蔽する隠蔽領域と、を備え、前記表示領域の水平投影面積を前記隠蔽領域の増減により相対的に変化させることを特徴とする表示方法。
【請求項１３】
前記表示領域の水平投影面積を実質的に０％から１００％まで相対的に変化させることを特徴とする請求項１２に記載の表示方法。
【請求項１４】
前記表示領域の水平投影面積を無段階に変化させることを特徴とする請求項１２に記載の表示方法。
【請求項１５】
前記表示領域は着色液体により前記色相が呈示され、該着色液体の液体量に応じた液体界面の面積が前記表示領域の水平投影面積となることを特徴とする請求項１２に記載の表示方法。
【請求項１６】
前記着色液体の液体量が、被電気浸透性固体媒体を介した電気浸透現象により調整されることを特徴とする請求項１２に記載の表示方法。
【発明の詳細な説明】
【技術分野】
【０００１】
本発明は、調光ガラス、調光素子、表示素子などの光学素子として広く利用可能な表示装置、それを用いた表示方法に関するものである。
【背景技術】
【０００２】
高度情報化社会の進展にともない電子ペーパーシステム、カラー表示システム、大面積表示システムへのニーズが増大している。
特に、次世代電子ペーパー表示システムに対するニーズは大きいが、それを実現する有望な技術が確立されていないのが現状である。候補方式としては、例えば、液晶方式、電気泳動方式、ツイストボール方式等が知られている。
液晶方式は、偏光板を利用するため、光利用効率が低く、その結果、反射率が低下し、高品質の画像表示が困難であるという問題を有している。
【０００３】
また、電気泳動方式を用いた表示装置としては、例えば、帯電した複数の着色電気泳動粒子と、該泳動粒子の色相と異なる着色色素が溶解された絶縁性液体と、が基板間に封入された構成の表示装置が挙げられる（例えば、特許文献１参照）。この装置では、基板間に印加した電圧に応じて泳動粒子を移動させ、泳動粒子と絶縁性液体とのコントラストによって画像を表示するが、複数の着色電気泳動粒子の入れ替わりが不完全となったり、粒子間からの光の漏れが生じたり、更には、電極構成のために、コントラストや反射率が阻害される等の問題を有していた。
【０００４】
更に、ツイストボール方式を用いた表示装置としては、回転ツイストボール又はギリコン（Ｇｙｒｉｃｏｎ）ディスプレイ装置として知られている。この装置には、大体２分の１又は約５０％の１つの半球の表面が一つの色（例えば、白色）、もう一方の半球は第２の異なる色（例えば、黒色）である、二色球が用いられる。この二色球は、例えば、ガラス又はプラスチック膜間に挟まれたエラストマー又はポリマーシート内の液体空洞中に懸濁されている。このような構成の装置は、外部電界が作用すると、二色球がその電気的異方性或いは双極子に従い回転し、像を形成することができる（例えば、特許文献２参照）。しかしながら、この表示装置は、二色球の光学密度が低く、また、その回転の制御が難しく、正確な二色性が得られないことから、高反射率及び高コントラストが得られないという問題を有している。
【０００５】
加えて、上述の方式以外の表示装置として、例えば、多孔質体に対する液体材料の電気浸透現象を利用して、多孔質体の表面の液体の含浸率を制御することにより、外光を散乱させる機構を用いたものがある（例えば、特許文献３参照）。しかし、この機構の表示装置は、多孔質体の一方の表面部が露出しているような表示構成をとることから、可搬性に乏しく、電子ペーパーへの応用が不可能であった。
また、多孔質体層表面の可視領域に、インク材料を外部からの電気浸透などの強制力によって移動させて画像を形成し、また、不可視領域にインク材料を外部からの強制力によって移動させて画像を消去することが可能な記録方法や記録媒体が知られている（例えば、特許文献４、５参照）。しかし、これらの記録方法や記録装置では、予め表示する画像が決められており、書き換えが不可能であるという問題があった。
【０００６】
【特許文献１】特開平１１−２０２８０４号公報
【特許文献２】米国特許第４，１２６，８５４号明細書
【特許文献３】特開昭５６−８８１７３号公報
【特許文献４】特開平１０−３５０９５号公報
【特許文献５】特開平１０−４４５９２号公報
【発明の開示】
【発明が解決しようとする課題】
【０００７】
本発明の目的は、電子ペーパー表示システムに好適であり、書き換えが可能であり、更に、反射率及びコントラストに優れる表示装置及び表示方法を提供することにある。
【課題を解決するための手段】
【０００８】
上記目的を達成すべく鋭意検討を行った結果、本発明らは、下記の本発明を見出した。
即ち、本発明は、
【０００９】
＜１＞  表示単位セル内に、色相を呈示する表示領域と、該色相を隠蔽する隠蔽領域と、前記表示領域の水平投影面積を前記隠蔽領域の増減により相対的に変化させる水平投影面積調整手段と、を備えることを特徴とする表示装置である。
【００１０】
＜２＞  前記表示領域の水平投影面積を実質的に０％から１００％まで相対的に変化させることを特徴とする＜１＞に記載の表示装置である。
【００１１】
＜３＞  前記表示領域の水平投影面積を無段階に変化させることを特徴とする＜１＞に記載の表示装置である。
【００１２】
＜４＞  前記表示領域は着色液体により前記色相が呈示され、該着色液体の液体量に応じた液体界面の面積が前記表示領域の水平投影面積となることを特徴とする＜１＞に記載の表示装置である。
【００１３】
＜５＞  前記着色液体の液体量が、被電気浸透性固体媒体を介した電気浸透現象により調整されることを特徴とする＜４＞に記載の表示装置である。
【００１４】
＜６＞  表示単位セル内に、着色液体と、該着色液体を可視状態で保持しうる第１の空間と、該第１の空間と連通すると共に、反射板で隠蔽され、前記着色液体を不可視状態で保持しうる第２の空間と、前記第１の空間に保持された前記着色液体の界面面積を、前記第２の空間に保持された前記着色液体の液体量の増減により相対的に変化させる界面面積調整手段と、を備える表示素子であって、
前記界面面積調整手段は、前記第２の空間内に設けられた、一対の電極と、前記着色液体が電気浸透しうる被電気浸透性固体媒体と、からなり、該一対の電極に印加された電圧により、該被電気浸透性固体媒体を介して前記着色液体を前記第１の空間と前記第２の空間との間で移動させるものであることを特徴とする表示装置である。
【００１５】
＜７＞  表示単位セル内に、着色液体と、該着色液体を可視状態で保持しうる第１の空間と、該第１の空間と連通すると共に、前記着色液体を不可視状態で保持しうる第２の空間と、該第２の空間を含み、反射板で隠蔽された第３の空間と、前記第１の空間に保持された前記着色液体の界面面積を、前記第２の空間に保持された前記着色液体の液体量の増減により相対的に変化させる界面面積調整手段とを備える表示素子であって、
前記界面面積調整手段は、前記第３の空間内に設けられた、対向して配置された第１の電極基板及び第２の電極基板と、該第１の電極基板と該第２の電極基板との間に設けられ、変形可能な第３の電極基板と、からなり、該第１の電極基板と該第３の電極基板との間に前記第２の空間が設けられている構成を有し、前記第１の電極基板及び前記第２の電極基板に印加された電圧により、前記第３の電極基板が変形することに伴い、前記着色液体を前記第１の空間と前記第２の空間との間で移動させるものであることを特徴とする表示装置である。
【００１６】
＜８＞  表示単位セル内に、着色物体と、該着色物体を可視状態で保持しうる第１の空間と、該第１の空間と連通すると共に、ゴム状板で隠蔽され、前記着色液体を不可視状態で保持しうる第２の空間と、前記第１の空間に保持された前記着色物体の水平投影面積を、前記第２の空間に保持された前記着色物体の存在量の変化により相対的に変化させる水平投影面積調整手段とを備える表示素子であって、
前記水平投影面積調整手段は、前記着色物体に接続する可動基板と、該可動基板を可動させる駆動手段と、からなり、該駆動手段により、前記可動基板の可動に伴い、前記着色物体を前記第１の空間と前記第２の空間との間で移動させるものであることを特徴とする表示装置である。
【００１７】
＜９＞  前記ゴム状板が反射性の材料を含むことを特徴とする＜８＞に記載の表示装置である。
【００１８】
＜１０＞  前記被電気浸透性固体媒体が前記第２の空間内の前記第１の空間と連通している部位に接触配置されていることを特徴とする＜６＞に記載の表示装置である。
【００１９】
＜１１＞  電圧付与手段を更に備えることを特徴とする＜６＞又は＜７＞に記載の表示装置である。
【００２０】
＜１２＞  表示単位セル内に、色相を呈示する表示領域と、該色相を隠蔽する隠蔽領域と、を備え、前記表示領域の水平投影面積を前記隠蔽領域の増減により相対的に変化させることを特徴とする表示方法である。
【００２１】
＜１３＞  前記表示領域の水平投影面積を実質的に０％から１００％まで相対的に変化させることを特徴とする＜１２＞に記載の表示方法である。
【００２２】
＜１４＞  前記表示領域の水平投影面積を無段階に変化させることを特徴とする＜１２＞に記載の表示方法である。
【００２３】
＜１５＞  前記表示領域は着色液体により前記色相が呈示され、該着色液体の液体量に応じた液体界面の面積が前記表示領域の水平投影面積となることを特徴とする＜１２＞に記載の表示方法である。
【００２４】
＜１６＞  前記着色液体の液体量が、被電気浸透性固体媒体を介した電気浸透現象により調整されることを特徴とする＜１２＞に記載の表示方法である。
【発明の効果】
【００２５】
本発明によれば、書き換えが可能であり、更に、反射率及びコントラストに優れる表示装置及び表示方法を提供することができる。
このような表示装置及び表示方法は、電子ペーパー表示システムに好適である。
【発明を実施するための最良の形態】
【００２６】
以下、本発明について詳細に説明する。
＜表示装置＞
本発明の第１の表示装置は、表示単位セル内に、色相を呈示する表示領域と、該色相を隠蔽する隠蔽領域と、前記表示領域の水平投影面積を前記隠蔽領域の増減により相対的に変化させる水平投影面積調整手段と、を備えることを特徴とする。
つまり、本発明の第１の表示装置では、表示面を平面視した場合、表示単位セルが表示領域と隠蔽領域とからなり、隠蔽領域を増減させる、つまり、隠蔽領域の水平投影面積を増減させることで、相対的に、表示領域の水平投影面積が変化することを特徴とする。
このような表示装置は、隠蔽領域により表示領域を全て隠蔽する、つまり表示領域の水平投影面積を０％にし、また、隠蔽領域により表示領域を隠蔽しない、つまり、表示領域の水平投影面積を１００％にすることが可能である。このため、表示、非表示を選択することができるため、表示画像の書き換えが可能であり、また、高コントラストの実現が可能となる。また、隠蔽領域を反射性の優れた材質で形成すれば、高反射率の実現も可能となる。
なお、本発明において、水平投影面積での「水平」とは、任意の観察方向と直角をなすことを意味する。
【００２７】
本発明の第２の表示装置は、表示単位セル内に、着色液体と、該着色液体を可視状態で保持しうる第１の空間と、該第１の空間と連通すると共に、反射板で隠蔽され、前記着色液体を不可視状態で保持しうる第２の空間と、前記第１の空間に保持された前記着色液体の界面面積を、前記第２の空間に保持された前記着色液体の液体量の増減により相対的に変化させる界面面積調整手段と、を備える表示素子であって、
前記界面面積調整手段は、前記第２の空間内に設けられた、一対の電極と、前記着色液体が電気浸透しうる被電気浸透性固体媒体と、からなり、該一対の電極に印加された電圧により、該被電気浸透性固体媒体を介して前記着色液体を前記第１の空間と前記第２の空間との間で移動させるものであることを特徴とする。
この本発明の第２の表示装置では、上記第１の表示装置において、表示領域の水平投影面積であるものが、第１の空間に保持された着色液体の界面面積に相当する。この界面面積は、着色液体を第１の空間と第２の空間との間で移動させることにより、変化させることができる。また、第２の空間を形成している反射板の露出面積が、上記第１の表示装置における隠蔽領域に相当する。
このような表示装置は、第１の空間内における着色液体の液体量を調整することにより、着色液体の表示、非表示を選択することができるため、表示画像の書き換えが可能である。
また、本発明の第２の表示装置は、表示領域が第１の空間の着色液体からなり、かつ、隠蔽領域が第２の空間を形成する反射板からなる構成であることから、高反射率及び高コントラストを実現することが可能である。
【００２８】
本発明の第３の表示装置は、表示単位セル内に、着色液体と、該着色液体を可視状態で保持しうる第１の空間と、該第１の空間と連通すると共に、前記着色液体を不可視状態で保持しうる第２の空間と、該第２の空間を含み、反射板で隠蔽された第３の空間と、前記第１の空間に保持された前記着色液体の界面面積を、前記第２の空間に保持された前記着色液体の液体量の増減により相対的に変化させる界面面積調整手段とを備える表示素子であって、
前記界面面積調整手段は、前記第３の空間内に設けられた、対向して配置された第１の電極基板及び第２の電極基板と、該第１の電極基板と該第２の電極基板との間に設けられ、変形可能な第３の電極基板と、からなり、該第１の電極基板と該第３の電極基板との間に前記第２の空間が設けられている構成を有し、前記第１の電極基板及び前記第２の電極基板に印加された電圧により、前記第３の電極基板が変形することに伴い、前記着色液体を前記第１の空間と前記第２の空間との間で移動させるものであることを特徴とする。
この本発明の第３の表示装置では、上記第１の表示装置において、表示領域の水平投影面積であるものが、第１の空間に保持された着色液体の界面面積に相当する。この界面面積は、着色液体を第１の空間と第２の空間との間で移動させることにより、変化させることができる。また、第３の空間を形成している反射板の露出面積が、上記第１の表示装置における隠蔽領域に相当する。
このような表示装置は、第１の空間内における着色液体の液体量を調整することにより、着色液体の表示、非表示を選択することができるため、表示画像の書き換えが可能である。
また、本発明の第３の表示装置は、表示領域が第１の空間の着色液体からなり、かつ、隠蔽領域が第３の空間を形成する反射板からなる構成であることから、高反射率及び高コントラストを実現することが可能である。
【００２９】
本発明の第４の表示装置は、表示単位セル内に、着色物体と、該着色物体を可視状態で保持しうる第１の空間と、該第１の空間と連通すると共に、ゴム状板で隠蔽され、前記着色液体を不可視状態で保持しうる第２の空間と、前記第１の空間に保持された前記着色物体の水平投影面積を、前記第２の空間に保持された前記着色物体の存在量の変化により相対的に変化させる水平投影面積調整手段とを備える表示素子であって、
前記水平投影面積調整手段は、前記着色物体に接続する可動基板と、該可動基板を可動させる駆動手段と、からなり、該駆動手段により、前記可動基板の可動に伴い、前記着色物体を前記第１の空間と前記第２の空間との間で移動させるものであることを特徴とする表示装置である。
この本発明の第４の表示装置では、上記第１の表示装置において、表示領域の水平投影面積であるものが、第１の空間に保持された着色物体の水平投影面積に相当する。この水平投影面積は、着色物体を第１の空間と第２の空間との間で移動させることにより、変化させることができる。また、第２の空間を形成しているゴム状板の視認面積が、上記第１の表示装置における隠蔽領域に相当する。
このような表示装置は、第１の空間内における着色物体の水平投影面積を調整することにより、着色物体の表示、非表示を選択することができるため、表示画像の書き換えが可能である。
また、本発明の第４の表示装置は、表示領域が第１の空間の着色物体からなり、かつ、隠蔽領域が第２の空間を形成するゴム状板からなる構成であることから、例えば、ゴム状板に反射性の高い材料を用いることで、高反射率及び高コントラストを実現することが可能である。
【００３０】
また、本発明の第１乃至第４の表示装置は、上記のような構成とすることで、表示領域の水平投影面積（着色液体の界面面積）を無段階で、かつ、０〜１００％の範囲で調整することができる。その結果、本発明の表示装置によれば、表示単位セル（画素）において、連続的な階調表現が可能となる。
【００３１】
以下、図面を参照して、本発明の表示装置について具体的に説明する。また、本発明の表示装置と共に、該表示装置を用いた表示方法についても説明する。
図１は、本発明の表示装置における表示単位セルの第１の実施態様を示す概略断面図である。この表示単位セルの第１の実施態様は、上述の本発明の第２の表示装置における表示単位セルを示したものである。なお、同様の機能を有する部材には、全図面を通して同じ符合を付与し、その説明を省略する。
図１に示されるように、表示装置（表示単位セル）１００ａは、背面基板１、透明基板３、及び隔壁５で囲まれたセル内に、その容積の半分以上を覆うように、湾曲した反射板９が設置されている。
ここで、反射板９上に、着色液体１１が存在している（保持されている）空間Ａは、図中の矢印方向から観察された場合、着色液体１１の色相が確認されるため、「表示領域」「第１の空間」となる。
一方、反射板９で覆われた空間Ｂ、すなわち、反射板９、背面基板１、及び隔壁５で囲まれた空間は、図中の矢印方向から観察された場合、反射板９のみが観察される。そのため、反射板９で覆われた空間Ｂは、その空間に着色液体１１が存在していても（保持されていても）、その色相が確認されないため、「隠蔽領域」「第２の空間」となる。
【００３２】
また、図１に示されるように、空間Ｂにおいて、背面基板１に接するように第１の電極７ａが設けられ、隔壁５に接するように第２の電極７ｂが設けられており、この第１の電極７ａ及び第２の電極７ｂは電圧印加手段１７に接続している。更に、第２の電極７ｂ上で、かつ、連通路１５に近接して、被電気浸透性固体媒体１３が配置されている。これらの部材の働きにより、着色液体１１を空間Ａと空間Ｂとの間で移動させることができる。これにより、空間Ａにおける表示領域の水平投影面積（空間Ａに存在する着色液体の界面面積）が調整される。
つまり、空間Ｂに設けられている第１の電極７ａ、第２の電極７ｂ、及び被電気浸透性固体媒体１３により、水平投影面積調整手段（界面面積調整手段）が構成される。
【００３３】
着色液体１１の移動について具体的に説明する。
まず、電圧印加手段１７により第１の電極７ａに負電圧を印加すると、着色液体１１は、被電気浸透性固体媒体１３を通して、第１の電極７ａ側へと電気浸透することで、空間Ａへと移動し、反射板９を覆うことになる。例えば、着色液体１１が黒色に着色されていた場合には、表示単位セル１００ａは、黒表示することができる。また、電圧印加手段１７により第２の電極７ｂに負電圧を印加すると、空間Ａに存在し、反射板９を覆っていた着色液体１１が、被電気浸透性固体媒体１３を通して、第２の電極７ｂ側へと電気浸透することで空間Ｂへと移動する。例えば、反射板９が白色である場合には、表示単位セル１００ａは、白表示することができる。
【００３４】
このように、各電極７ａ及び７ｂのいずれかに電圧を印加することにより、着色液体１１の電気浸透が生じ、空間Ａと空間Ｂとの間を移動することができるようになる。
このような表示単位セル１００ａを複数配列した表示装置を示したのが、図２である。ここでは、各構成部材の説明は省略するが、このように、各々の表示単位セル１００ａは、空間Ａに存在する着色液体１１の量を調整することで所望の階調表現が可能となり、それらを複数配列した表示装置は、微細な濃淡の表現ができ、また、コントラストにも優れることから、高品質の表示画像を得ることができる。
【００３５】
次に、図３を参照して、本発明の表示単位セル１００ａの製造方法について説明する。
まず、背面基板１上に第１の電極７ａを形成する。同様にして、隔壁５の一部に第２の電極を形成する。このようにして得られた２つの電極基板を、図３（ａ）に示されるように、熱をかけて垂直に貼り合わせた。
次に、図３（ｂ）に示されるように、第１の電極７ａ上に被電気浸透性固体媒体１３を配置し、更にその上を覆うように、白色の反射板９を形成した。なお、ここで、反射板９は、一辺が隔壁５に融着し、また、他の一辺は、連通路１５を形成するために、第１の電極７ａに接しないように設置されている。
続いて、図３（ｃ）及び（ｄ）に示されるように、背面基板１のうち、第２の電極７ｂを有する隔壁５を融着させた箇所以外の辺に、同素材の隔壁５を融着して、セルを作製した。このとき、反射板９における図１の紙面手前側と奥側に存在する両辺も、隔壁５に融着することになる。
そして、着色液体を空間Ａに注入し、その後、図１に示すように、透明基板３を貼り合せることで、本発明の単位表示セル１００ａを得た。
【００３６】
更に、図４を参照して、本発明の表示単位セル１００ａにおける着色液体１１の移動と、階調表示について説明する。
図４（ａ）は、着色液体１１が空間Ｂに全て収納されており、着色液体１１の色相が不可視状態であることを示している。つまり、ここでは、着色液体１１が第２の電極７ｂ側に被電気浸透性固体媒体１３を通して電気浸透していることを意味する。これにより、反射板９の全面が露出することとなり、例えば、反射板９が白色である場合には、表示単位セル１００ａは、白表示することができる。
また、図４（ｂ）は、空間Ａの全てが着色液体１１にて満たされており、反射板９が全く確認できない状態であることを示している。ここでは、着色液体１１が第１の電極７ａ側に被電気浸透性固体媒体１３を通して電気浸透していることを意味する。その結果、例えば、着色液体１１が黒色である場合には、表示単位セル１００ａは、黒表示することができる。
更に、図４（ｃ）は、空間Ａの一部が着色液体１１で満たされており、反射板９の一部が確認できる状態であることを示している。ここでは、所望の界面面積となるように、着色液体１１を移動させた後、電圧の印加を停止させることで、この状態を形成することができる。
【００３７】
以下、単位表示セル１００ａを構成する各部材について説明する。
（基板）
基板としては、ポリエステル、ポリイミド、ポリメタクリル酸メチル、ポリスチレン、ポリプロピレン、ポリエチレン、ナイロン、ポリ塩化ビニル、ポリ塩化ビニリデン、ポリカーボネート、ポリエーテルスルフォン、セルロース誘導体、ポリエチレンテレフタレート（ＰＥＴ）などの高分子材料の板状基板、ガラス基板、金属基板、セラミック基板などの無機基板を使用することができる。
また、これらの中でも、透明性を有する基板は、表示面を形成する透明基板として用いることができる。
【００３８】
また、基板の好ましい厚さとしては、求められる透明性、保形性等により、適宜、決定されるが、具体的には、１０μｍ〜２ｍｍであることが好ましく、２０μｍ〜５００μｍであることがより好ましい。
【００３９】
（電極）
電極材料としては、具体的には、銅、アルミニウム、銀、金、ニッケル、プラチナなどに代表される金属膜からなる電極、酸化スズ、酸化スズ−酸化インジウム（ＩＴＯ）に代表される金属酸化物などが好ましく用いられる。これらの材料は、単独で使用してもよいし、２種以上を混合して用いてもよい。
また、電極の好ましい大きさとしては、電圧印加の効率性や製造性の観点から、５０ｎｍ〜１μｍであることが好ましく、１００ｎｍ〜５００ｎｍであることがより好ましい。
【００４０】
（隔壁）
隔壁は、表示単位セルの壁面を形成する部材であって、その材料には基板と同様の材料を使用することができる。
また、隔壁の好ましい厚さとしては、求められる保形性等により、適宜、決定されるが、具体的には、１〜５００μｍであることが好ましく、２０〜２００μｍであることがより好ましい。
【００４１】
（反射板）
反射板は、基板として上記基板と同様の材料を使用することができ、その基板表面に可視光反射材料が被覆されることで形成されている。この反射板は、コントラスト向上の点から、白色のものであることが好ましく、可視光反射材料としては、酸化チタン、酸化マグネシウム、硫酸バリウム、炭酸カルシウム、及び炭酸マグネシウムなどが使用することができる。
また、反射板の厚さとしては、着色液体を収納する空間を形成するための保形性を有していればよく、具体的には、１〜５００μｍであることが好ましく、２０〜２００μｍであることがより好ましい。
【００４２】
また、反射板の設置の形状としては、図１における空間Ａと空間Ｂとの容積の関係、及び着色液体１１の液体量から決定される。すなわち、空間Ｂは少なくとも着色液体１１の全部を収納する必要があり、かつ、空間Ａは着色液体１１で完全に満たされる状態を形成する必要があることから、空間Ｂを構成する反射板はその形状を決定することができる。
例えば、図１に示されるように、反射板が表示面に対して凸状の曲面を有するように設けられることで、空間Ｂの容積が空間Ａよりも大きくなり、また、空間Ａへと電気浸透した着色液体１１の液体量が少なくても、反射板９の被覆面積を大きくすることができるため、好ましい。
【００４３】
ここで、本発明においては、空間Ａと空間Ｂとの容積の関係としては、空間Ａ＜空間Ｂであることが好ましい。
【００４４】
（被電気浸透性固体媒体）
被電気浸透性固体媒体は、着色液体を電気浸透させるために用いられる媒体であって、その機能を効果的に発現させるために、第２の空間内の第１の空間との連通部付近に配置されることが好ましい。
被電気浸透性固体媒体としては、ニトロセルロース、酢酸セルロースやこれらの混合体等の合成樹脂、ＰＴＦＥ（四フッ化エチレン樹脂）、充填された微粒子、ガラスキャピラリーなどが使用できる。
この被電気浸透性固体媒体の使用量は、着色液体の液体量や電気浸透性に応じて、適宜、適宜、決定されるが、通常、着色液体に対して、体積比で１０〜２００％の範囲で用いられることが好ましい。
【００４５】
（着色液体）
着色液体を構成する液体としては、電気浸透液体として従来より知られている液体が好ましく用いられ、具体的には、γ−メタクリロキシプロピルトリメトキシシラン、ジメテルトリフェニルトリメトキシシロキサン、フェニルトリメトキシシランなどが使用される。
また、着色液体の着色に用いられる色材としては、染料、顔料が使用される。
着色液体を黒色に着色する場合、染料としては、ニグロシン系染料、顔料としては、ブロンズ粉、チタンブラック、各種カーボンブラック（チャネルブラック、ファーネスブラック等）が用いられる。
また、着色液体を有彩色に着色する場合、赤、緑、青、シアン、マゼンタ、イエローなどのカラー染料である、アゾ染料、アントラキノン系染料、インジゴ系染料、フタロシアニン系染料、カルボニウム染料、キノンイミン染料、メチン染料、キノリン染料、ニトロ染料、ベンゾキノン染料、ナフトキノン染料、ナフタルイミド染料、ベリノン染料などが用いられる。また、カラー顔料である、例えば、フタロシアニン系のシアン顔料、ベンジジン系のイエロー顔料、ローダミン系のマゼンタ顔料、アントラキノン系、アゾ系、アゾ金属錯体、フタロシアニン系、キナクリドン系、ペリレン系、インジゴ系、イソインドリノン系、キナクリドン系、アリルアミド系、硫化亜鉛などの各種顔料が用いられる。
【００４６】
次に、図５を用いて本発明の表示装置の他の例について説明する。
図５は、本発明の表示装置における表示単位セルの第２の実施態様を示す概略断面図である。この表示単位セルの第２の実施態様は、上述の本発明の第３の表示装置における表示単位セルを示したものである。
図５に示されるように、表示装置（表示単位セル）１００ｂは、着色液体１１を収納する空間Ｂを、第１の電極基板１９、第３の電極基板２３、及び隔壁５で形成している。また、空間Ａを、隔壁５と湾曲した反射板９ａで形成している。更に、第３の電極基板２３の下部には、第２の電極基板２１が設けられている。ここで、反射板９ａは、空間Ｂを構成する第１の電極基板１９と第３の電極基板２３とを隠蔽している。また、第１の電極基板１９は、空間Ａと空間Ｂとの連通する連通路１５を形成するために、一辺が隔壁５に接触していない状態で設置されている。
【００４７】
ここで、第３の電極基板２３は、図５において、両端が隔壁５へと固定されており、それ以外の箇所が変形可能なフィルム状の電極基板である。なお、図５の紙面手前側と奥側には、他のセルとの隔壁（図示せず）が設けられるが、第３の電極基板２３は、その手前側と奥側の隔壁に対して接触しているが、固定されていない状態で設けられている。
この構成により、第１の電極基板１９と第３の電極基板２３との間、また、第２の電極基板２１と第３の電極基板２３との間には、第３の電極基板２３が変形可能な空間が形成される。そのため、第１の電極基板１９と第３の電極基板２３との間に電圧を印加した場合や、第２の電極基板２１と第３の電極基板２３との間に電圧を印加した場合に、第３の電極基板２３が変形し、空間Ｂの容積が変化することとなる。その結果、着色液体１１が連通路１５を通じて、空間Ａと空間Ｂとの間を移動することができる。
これにより、空間Ａにおける表示領域の水平投影面積（空間Ａに存在する着色液体の界面面積）が調整される。
このような第２の実施形態では、第１〜第３の電極基板１９、２１、２３により、水平投影面積調整手段（界面面積調整手段）が構成される。
【００４８】
第２の実施形態における着色液体１１の移動について具体的に説明する。
まず、第１の電極基板１９と第３の電極基板２３との間に電圧を印加すると、第３の電極基板２３は、第２の電極基板２１側から次第に第１の電極基板１９へと引き寄せられる（矢印Ｃ方向）。このとき、第１の電極基板１９と第３の電極基板２３との間の空間Ｂの容積は減少し内圧が上がるために、着色液体１１が矢印Ｄ方向へと押し出され、空間Ａ側へと移動する。その結果、空間Ａへと移動した着色液体１１の液体量に応じて、反射板９ａが覆われることとなり、例えば、着色液体１１が黒色に着色されている場合、表示単位セル１００ｂは黒階調を表現することができる。なお、図５（ａ）は、空間Ａの全てが着色液体１１で満たされている状態であり、この場合、表示単位セル１００ｂは、黒表示することができる。
また、第２の電極基板２１と第３の電極基板２３との間に電圧を印加すると、第３の電極基板２３は、第１の電極基板１９側から次第に第２の電極基板２１へと引き寄せられる（矢印Ｅ方向）。この変形により、空間Ｂの容積が増加し、着色液体１１が矢印Ｆ方向へと引き込まれるため、空間Ｂ側へと移動する。ここで、図５（ｂ）は、着色液体１１の全てが空間Ｂに収納されている状態であり、この場合、例えば、反射板９が白色である場合には、表示単位セル１００ｂは、白表示することができる。
このように、第３の電極基板２３を変形させて空間Ｂの容積を変化させることで、着色液体１１が空間Ａと空間Ｂとの間を移動することができるようになる。
【００４９】
以下、単位表示セル１００ｂを構成する各部材について説明する。
（電極基板）
電極基板は、基板材料の間に電極が設けられたものである。
上記第１の電極基板１９や第２の電極基板２１のように変形しない電極基板の基材としては、ポリエステル、ポリイミド、ポリメタクリル酸メチル、ポリスチレン、ポリプロピレン、ポリエチレン、ナイロン、ポリ塩化ビニル、ポリ塩化ビニリデン、ポリカーボネート、ポリエーテルスルフォン、セルロース誘導体、ポリエチレンテレフタレート（ＰＥＴ）などの高分子材料の板状基板、ガラス基板、セラミック基板などの無機基板を使用することができる。これらの基板に、フィルムに銅、アルミ、クロム、タンタル、タングステン、モリブデン、インジウムスズ酸化物、炭素のうちいずれかの単体層、若しくは複数の物質の積層膜、合金膜を、スパッタ法や蒸着法で形成する。これが電極となる。また、金属フィルムをそのまま使用することができる。
また、上記第３の電極基板２３のように変形可能なフィルム状電極基板の基材としては、ポリエステル、ポリイミド、ポリメタクリル酸メチル、ポリスチレン、ポリプロピレン、ポリエチレン、ナイロン、ポリ塩化ビニル、ポリ塩化ビニリデン、ポリカーボネート、ポリエーテルスルフォン、セルロース誘導体、フッ素樹脂、ポリエチレンテレフタレート（ＰＥＴ）などによるフィルムが電気的な特性及び製造の容易さから好ましい。これらのフィルムに銅、アルミ、クロム、タンタル、タングステン、モリブデン、インジウムスズ酸化物、炭素のうちいずれかの単体層、若しくは複数の物質の積層膜、合金膜を、スパッタ法や蒸着法で形成する。これが電極となる。また、金属フィルムをそのまま使用することができる。
更に、上記金属フィルムや、基板又はフィルム上に形成された電極には、電気安定性の観点から、絶縁性物質で被覆されていることが好ましい。この絶縁性物質としては、エポキシ樹脂、シリコーン樹脂、アクリル樹脂や、ＳｉＯ2などを用いることができる。
また、電気安定性の観点からは、上記電極基板は、電極を基板やフィルムによりラミネートしたもの、例えば、ＰＥＴにて銅電極を材料にラミネートしたものを用いることができる。
【００５０】
次に、図６を用いて本発明の表示装置の他の例について説明する。
図６は、本発明の表示装置における表示単位セルの第３の実施態様を示す概略断面図である。この表示単位セルの第３の実施態様は、上述の本発明の第４の表示装置における表示単位セルを示したものである。
図６に示されるように、表示装置（表示単位セル）１００ｃは、背面基板２７上に、可動基板２５の駆動手段２９を設け、駆動手段２９上に可動基板２５が設けられた構成を有する。また、可動基板２５上には錘状着色物体３１が設けられており、錘状着色物体３１の頂点に接するように、ゴム状白色板３３が設けられている。なお、ゴム状白色板３３はその両端が隔壁５に固定されている。
可動基板２５は、駆動手段２９により、鉛直方向に可動できるような仕組みになっている。そのため、この可動基板２５に同期して錘状着色物体３１も鉛直に移動することができる。
【００５１】
また、ゴム状白色板３３には、錘状着色物体３１の形状、特に頂点の位置に対応した貫通孔３３ｈが設けられている。この貫通孔３３ｈは、通常は、視認できない状態のものであり、錘状着色物体３１が鉛直移動してこの貫通孔３３ｈを貫通することで、観察側から錘状着色物体３１の色相が確認されることとなる。この錘状着色物体３１の貫通状態により、表示領域の水平投影面積（空間Ａに存在する着色液体の界面面積）が調整される。
このような第３の実施形態では、可動基板２５、及び駆動手段２９により、水平投影面積調整手段（界面面積調整手段）が構成される。
【００５２】
第３の実施形態における錘状着色物体３１の移動について具体的に説明する。
まず、図６（ａ）に示されるように、錘状着色物体３１がゴム状白色板３３の貫通孔３３ｈを貫通していない場合、つまり、錘状着色物体３１がゴム状白色板３３により隠蔽されている場合には、表示単位セル１００ｃは、白表示することができる。
また、可動基板２５が駆動手段２９によりゴム状白色板３３側へと鉛直移動すると、錘状着色物体３１がゴム状白色板３３の貫通孔３３ｈを貫通する。この場合、錘状着色物体３１が貫通する度合いに応じてゴム状白色板３３の領域が変化する。そのため、例えば、錘状着色物体３１が黒色に着色されている場合、表示単位セル１００ｃは黒階調を表現することができる。なお、図６（ｂ）は、錘状着色物体３１の全てがゴム状白色板３３の貫通孔３３ｈを貫通している状態であり、この場合、表示単位セル１００ｃは、黒表示することができる。
【００５３】
ここで、第３の実施形態においては、背面基板が固定され、可動基板が可動な形態を説明したが、その他の形態として、可動手段、錘状着色物体がゴム状白色板に設けられていてもかまわない。また、錘状着色物体が固定されていて、ゴム状白色板が可動する構成であっても構わない。
【００５４】
以下、単位表示セル１００ｃを構成する各部材について説明する。
（可動基板）
可動基板としては、ポリエステル、ポリイミド、ポリメタクリル酸メチル、ポリスチレン、ポリプロピレン、ポリエチレン、ポリアミド、ナイロン、ポリ塩化ビニル、ポリ塩化ビニリデン、ポリカーボネート、ポリエーテルスルフォン、シリコーン樹脂、ポリアセタール樹脂、フッ素樹脂、セルロース誘導体、ポリオレフィン、ポリエチレンテレフタレート（ＰＥＴ）などの高分子材料の板状基板、ガラス基板、金属基板、セラミック基板等の無機基板なども用いることができる。
【００５５】
（駆動手段）
駆動手段としては、各種アクチュエータ（各種電磁式、空気圧、静電、形状記憶合金型、圧電、光、超磁歪、高分子ゲル、ピエゾ素子）が利用される。また、直線運動を発生させる位置決め装置なども利用することができる。具体的には、例えば、ねじ送り方式による位置決め装置などが利用できる。また、ラックピオニン式、ベルト又はチェーン式、ピストン・クランク機構、カム機構を利用した位置決め装置を利用することができる。
【００５６】
（錘状着色物体）
錘状着色物体は、ゴム状白色板よりも硬い材質であるものならばいかなる材料も利用可能であり、それらの材料を各種顔料や染料にて着色して作製することができる。錘状着色物体を構成する材料としては、ポリエステル、ポリイミド、ポリメタクリル酸メチル、ポリスチレン、ポリプロピレン、ポリエチレン、ポリアミド、ナイロン、ポリ塩化ビニル、ポリ塩化ビニリデン、ポリカーボネート、ポリエーテルスルフォン、シリコーン樹脂、ポリアセタール樹脂、フッ素樹脂、セルロース誘導体、ポリオレフィンなどの高分子材料、ガラス、金属基板、セラミック材などの無機基板などを利用することができる。
【００５７】
（ゴム状白色板）
ゴム状白色板は、ゴム材料と白色材料とを混合し、フィルム状に形成してものを用いることができる。ゴム状白色板に用いられるゴム材料としては、一般に知られている各種天然ゴム材料、合成ゴム材料が利用可能である。合成ゴムとしては、公知の合成高分子であれば特に限定されないが、スチレン・ブタジエンゴム、ポリイソプレンゴム、ポリブタジエンゴム、ニトリルゴム、クロロプレンゴム、ブチルゴム、ハイパロン、シリコンゴム、ウレタンゴム、エチレンプロピレンゴム、フッ素ゴム、アクリルゴム、エピクロロヒドリンゴムなどが挙げられる。
また、白色材料としては、反射性に優れる材料が好ましく、酸化チタン、酸化マグネシウム、硫酸バリウム、炭酸カルシウム、炭酸マグネシウムなどが利用可能である。
【実施例】
【００５８】
以下、本発明を、実施例を挙げて更に具体的に説明する。ただし、これら各実施例は、本発明を制限するものではない。
【００５９】
〔実施例１〕
図３に示される各工程を経て、図１に示される表示単位セルを下記のように作製した。
まず、５００μｍ×５００μｍ、厚さ２０μｍのＰＥＴ基板（背面基板１)上に、厚さ１００ｎｍのＩＴＯ電極(第１の電極７ａ)を形成した部材を作製した。また、５４０μｍ×５４０μｍ、厚さ２０μｍのＰＥＴ基板（隔壁５）上に、厚さ１００ｎｍのＩＴＯ電極（第２の電極７ｂ）がパターン状に形成された部材を作製した。この２つの部材を、図３（ａ）に示されるように、熱をかけて垂直に貼り合わせた。この際、背面基板１に相当するＰＥＴ基板に対して、図３の紙面手前側と奥側に、隔壁５に相当するＰＥＴ基板がそれぞれ２０μｍずつ突出するようにした。
次に、図３（ｂ）に示されるように、第１の電極７ａに相当するＩＴＯ電極上に、四フッ化エチレン樹脂からなる被電気浸透性固体媒体１３を連通路１５に接触配置して、更に、その上を覆うように、ＰＥＴ基板を酸化チタンで被覆した厚さ５０μｍの白色の反射板９を設置した。そのとき被電気浸透性固体媒体１３は、空間Ｂの容積の８０％を占めるように配置した。なお、反射板９は、一辺が隔壁５に相当するＰＥＴ基板に融着し、また、他の一辺は、連通路１５を形成するために、ＩＴＯ電極に接しないように設置されている。
【００６０】
続いて、図３（ｃ）及び（ｄ）に示されるように、背面基板１に相当するＰＥＴ基板のうち、既に設けられている隔壁５以外の辺に、５００μｍ×５４０μｍ、厚さ２０μｍのＰＥＴ基板による隔壁５を融着した。このとき、反射板９の図１の紙面手前側と奥側に存在する両辺も、隔壁５に融着した。
これにより形成された図１における空間Ａと空間Ｂとの容積比は３５：６５であった。
ここに、図４（ｃ）に示されるように、電気浸透液体であるγ−メタクリロキシプロピルトリメトキシシランに、色材としてＣ．I．ダイレクトブラック１６８を３質量％混合した着色液体１１を０．０８μｌ注入し、その後、上面に、５００μｍ×５００μｍ、厚さ２０μｍのＰＥＴ基板からなる透明基板３を設けて、図１に示される表示単位セル１００ａを作製した。
【００６１】
得られた表示単位セルに対し、外部電極（電圧印加手段）１７を用いて、第１の電極７ａに相当するＩＴＯ電極に負電圧を印加すると、着色液体１１は被電気浸透性固体媒体１３を通して第１の電極７ａ側へと電気浸透する。その結果、図４（ｂ）に示されるように、着色液体１１が反射板９を完全に覆うことになり、表示画素は黒表示とすることができた。この時の表示単位セルの光学濃度をＸ−Ｒｉｔｅ４０４で測定したところ、その値は１．６９であった。
また、第２の電極７ｂに相当するＩＴＯ電極に負電圧を印加すると、反射板９を覆っていた着色液体１１が、被電気浸透性固体媒体１３を通して第２の電極７ｂ側へと電気浸透する。その結果、図４（ａ）に示されるように、着色液体１１の全てが反射板９で隠蔽された空間Ｂに格納され、表示画素は白表示とすることができた。この時の表示単位セルの光学濃度を測定したところ、その値は０．０８であった。
これにより、優れたコントラストを有する表示単位セルが得られたことが分かった。
【００６２】
〔実施例２〕
図５に示される表示単位セルを下記のように作製した。
５００μｍ×５００μｍ、厚さ２０μｍのＰＥＴ基板上に、厚さ１００ｎｍのＩＴＯ電極を形成し、更に、ＩＴＯ電極上に、厚さＳｉＯ2膜を形成して、第２の電極基板２１を作製した。また、ＰＥＴ基板のサイズを５００μｍ×４９５μｍに代えた他は、上記と第２の電極基板２１と同様にして、第１の電極基板１９を作製した。
また、５００μｍ×８００μｍ、厚さ１０μｍのＰＥＴ基板に、銅を１μｍの厚さに蒸着し、その電極面を更に厚さ１０μｍのＰＥＴにて被覆したフィルム状電極を作製し、これを第３の電極基板２３とした。
【００６３】
まず、図５中の右側の隔壁５に相当する、５４０μｍ×８００μｍ、厚さ２０μｍのＰＥＴ基板に対し、その末端に第２の電極基板２１の一辺を融着し、第２の電極基板２１と５００μｍ離間した箇所に、第１の電極基板１９の一辺を融着し、更に、第１の電極基板１９に近接した箇所に、第３の電極基板の一辺を融着した。この際、第１の電極基板１９と第２の電極基板２１とは互いのＳｉＯ2膜が対向するようにして融着され、また、両電極基板間の距離は５００μｍとなった。また、融着する際には、全ての電極基板１９、２１、２３に対して、図５の紙面手前側と奥側に、隔壁５に相当するＰＥＴ基板がそれぞれ２０μｍずつ突出するようにした。
続いて、第２の電極基板２１の他の一辺を、図５中の左側の隔壁５に相当する、５４０μｍ×８００μｍ、厚さ２０μｍのＰＥＴ基板の末端に融着し、更に、第３の電極基板２３の他の一辺を第２の電極基板の端部に接触させつつ融着した。ここで、第２の電極基板２１における「他の一辺」とは、上記のように、図５中の右側の隔壁５に相当するＰＥＴ基板に融着した一辺とは反対側の一辺を指す。また、この際、第１の電極基板１９は、図５中の左側の隔壁５に相当するＰＥＴ基板に接触しない構成となり、その結果、図５においては、左側の隔壁５と第１の電極基板１９との間に連通路１５が形成された。
【００６４】
その後、第１の電極基板１９の上部には、第１の電極基板１９を覆うように、ＰＥＴ基板を酸化チタンで被覆した厚さ５０μｍの白色の反射板９を設置した。ここで、反射板９は、図５に示されるように、一辺が図５中の右側の隔壁５に相当するＰＥＴ基板に融着し、また、他の一辺は、第１の電極基板１９の図５中の左側の末端に融着している。
続いて、第２の電極基板２１の図５の紙面手前側と奥側に存在する両辺に、５００μｍ×８００μｍ、厚さ２０μｍのＰＥＴ基板を融着し、隔壁（図示せず）を形成した。このとき、反射板９及び第１の電極基板１９の図５の紙面手前側と奥側に存在する両辺も、ＰＥＴ基板に融着した。更に、第３の電極基板２３の図５の紙面手前側と奥側に存在する両辺は、ＰＥＴ基板に対して接触しているが、固定されていない状態を形成した。
これにより形成された図５における空間Ａと空間Ｂとの容積比は１：５であった。
ここに、電気浸透液体であるγ−メタクリロキシプロピルトリメトキシシランに色材としてＣ．I．ダイレクトブラック１６８を３質量％混合した着色液体１１を０．１μｌ注入し、その後、上面に、５４０μｍ×５４０μｍ、厚さ２０μｍのＰＥＴ基板からなる透明基板（図示せず）を設けて、図５に示される表示単位セル１００ｂを作製した。
【００６５】
第１の電極基板１９と第３の電極基板２３との間に電圧を印加すると、着色液体１１が空間Ａへ移動し、反射板９ａを覆うため、表示画素は黒表示とすることができた。この時の光学濃度をＸ−Ｒｉｔｅ４０４で測定したところ、その値は１．７０であった。
また、第２の電極基板２１と第３の電極基板２３との間に電圧を印加すると、反射板９ａを覆っていた着色液体１１が空間Ｂへと移動するため、表示画素は白表示とすることができた。この時の光学濃度を測定したところ、その値は０．０９であった．
これにより、優れたコントラストを有する表示単位セルが得られたことが分かった。
【００６６】
〔実施例３〕
図６に示される表示単位セルを下記のように作製した。
５００μｍ×５００μｍ、厚み２０μｍＰＥＴ基板（背面基板２７）上に、該基板表面に対して鉛直方向へ動くようにピエゾ素子（駆動手段２９）を配置した。このピエゾ素子上に、５００μｍ×５００μｍ、厚み２０μｍＰＥＴ基板（可動基板２５）を介して、４５０×４５０μｍ、高さ４５μｍのエボナイトからなる黒色錘状物体（錘状着色物体３１）を固定した。
その後、背面基板２７に相当するＰＥＴ基板の図６の右側及び左側の両辺に、５４０μｍ×１６０μｍ、厚さ２０μｍのＰＥＴ基板を融着し、隔壁５を形成した。このとき、可動基板２５の図６の右側及び左側の両辺も、ＰＥＴ基板（隔壁５）に融着した。また、融着の際、背面基板２７や可動基板２５に相当するＰＥＴ基板に対して、図６の紙面手前側と奥側に、隔壁５に相当するＰＥＴ基板がそれぞれ２０μｍずつ突出するようにした。
そして、黒色錘状物体の上部の頂点が隠れる箇所に、貫通孔３３ｈを有するゴム状板：厚さ１０μｍの酸化チタンを含有するスチレン・ブタジエンゴム板（ゴム状白色板３３）を配置し、その２辺（図６の右側及び左側の両辺）を隔壁５に固定した。
続いて、背面基板２７に相当するＰＥＴ基板の図６の紙面手前側と奥側に存在する両辺に、５００μｍ×１６０μｍ、厚さ２０μｍのＰＥＴ基板を融着し、隔壁（図示せず）を形成した。このとき、可動基板２５及びゴム状白色板３３における図６の紙面手前側と奥側に存在する辺も、ＰＥＴ基板に融着した。
そして、その後、上面に、５４０μｍ×５４０μｍ、厚さ２０μｍのＰＥＴ基板からなる透明基板（図示せず）を設けて、図６に示される表示単位セル１００ｃを作製した。
【００６７】
黒色錘状物体をゴム状白色板３３の方向へと動かす（つまり、図６では上方に動かす）と、黒色錘状物体はゴム状白色板３３の貫通孔３３ｈを突き抜けるため、表示画素は黒表示とすることができた。この時の光学濃度をＸ−Ｒｉｔｅ４０４で測定したところ、その値は１．６であった．
その後、黒色錘状物体を背面基板１の方向へと動かす（図６では下方に動かす）と、ゴム状白色板３３の貫通孔３３ｈから引き抜かれることとなり、ゴム状白色板３３のみが観察されることとなり、表示画素は白表示とすることができた。この時の光学濃度を測定したところ、その値は０．０９であった。
これにより、優れたコントラストを有する表示単位セルが得られたことが分かった。
【図面の簡単な説明】
【００６８】
【図１】本発明の表示装置における表示単位セルの第１の実施態様を示す概略断面図である。
【図２】図１に示す表示単位セルを複数配列した表示装置の概略斜視図である。
【図３】図１に示す表示単位セルを製造する工程を説明するための概略図である。
【図４】図１に示す表示単位セルにおける着色液体の移動状態を示す概略断面図である。
【図５】本発明の表示装置における表示単位セルの第２の実施態様を示す概略断面図である。
【図６】本発明の表示装置における表示単位セルの第３の実施態様を示す概略断面図である。
【符号の説明】
【００６９】
１  背面基板
３  透明基板
５  隔壁
７ａ  第１の電極
７ｂ  第２の電極
９、９ａ  反射板
１１  着色液体
１３  被電気浸透性固体媒体
１５  連通路
１７  電圧印加手段
１９  第１の電極基板
２１  第２の電極基板
２３  第３の電極基板
２５  可動基板
２７  背面基板
２９  駆動手段
３１  錘状着色物体
３３  ゴム状白色板
３３ｈ  貫通孔
１００ａ、１００ｂ、１００ｃ  表示装置（単位表示セル）
Ａ  空間（第１の空間）
Ｂ  空間（第２の空間）
【図１】
2007034282.tif 000003
【図２】
2007034282.tif 000004
【図３】
2007034282.tif 000005
【図４】
2007034282.tif 000006
【図５】
2007034282.tif 000007
【図６】
2007034282.tif 000008